【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
所定の一般情報を記憶した不揮発性記憶手段を備えた着脱可能な記録材カートリッジを装着する画像形成装置であって、
前記不揮発性記憶手段に記憶された前記一般情報を読み出すための情報読取手段と、
前記情報読取手段が読み取った前記一般情報を保存する情報保存手段と、
前記情報読取手段が読み取って得た前記一般情報を、他の端末装置へ送信する通信手段を備え、
前記情報保存手段は、前記情報読取手段が読み取った一般情報が保存されている一般情報よりも新しい場合、前記保存されている一般情報を前記読み取った一般情報により書き換え、前記他の端末装置へ前記読み取って得た一般情報を送信するようにしたことを特徴とする画像形成装置。
【請求項２】
所定の一般情報と、該一般情報に付与された識別情報を記憶した不揮発性記憶手段を備えた着脱可能な記録材カートリッジを装着する画像形成装置であって、
前記不揮発性記憶手段に記憶された前記一般情報と前記識別情報を読み出すための情報読取手段と、
前記情報読取手段が読み取った前記一般情報と前記識別情報を、他の端末装置へ送信する通信手段を備え、
前記情報保存手段の一般情報が書き換えられると、当該一般情報に付与された前記識別情報を他の端末装置へ送信し、
前記他の端末装置より、前記一般情報の受信要求を受け付けると、受信要求された前記一般情報を当該他の端末装置へ送信することを特徴とする画像形成装置。
【請求項３】
前記一般情報には、複数の項目が含まれるとともに、おのおのの項目には、項目識別情報が付与され、
前記受信要求は、前記項目識別情報を含み、
前記他の端末装置より受け付けた受信要求に含まれる前記項目識別情報の項目に対応した前記一般情報の内容を当該他の端末装置へ送信することを特徴とする請求項２記載の画像形成装置。
【請求項４】
前記通信手段は、前記一般情報の送信動作に先立って、通信可能な他の端末装置の検出を行い、
その検出動作により応答を得た他の端末装置についてのみ動作を行うことを特徴とする請求項２または請求項３記載の画像形成装置。
【請求項５】
所定の一般情報を記憶した不揮発性記憶手段を備えた着脱可能な記録材カートリッジを装着する画像形成装置であって、
前記不揮発性記憶手段に記憶された前記一般情報を読み出すための情報読取手段と、
他の端末装置より、前記一般情報を受信する通信手段と、
前記情報読取手段が読み取った、もしくは、前記通信手段が受信した前記一般情報を保存する情報保存手段を備え、
前記通信手段が受信した一般情報が、前記情報保存手段に保存されている一般情報よりも新しい場合には、該受信した一般情報により、前記情報保存手段に保存されている一般情報を書き換えるようにしたことを特徴とする画像形成装置。
【請求項６】
所定の一般情報と、該一般情報に付与された識別情報を記憶した不揮発性記憶手段を備えた着脱可能な記録材カートリッジを装着する画像形成装置であって、
前記不揮発性記憶手段に記憶された前記一般情報と前記識別情報を読み出すための情報読取手段と、
他の端末装置より、前記識別情報を受信する識別情報受信手段と、
前記受信した識別情報に基づいて、前記他の端末装置へ前記一般情報の受信要求を行う一般情報受信要求手段と、
前記一般情報を受信する一般情報受信手段と、
前記情報読取手段が読み取った、もしくは、前記通信手段が受信した前記一般情報を保存する情報保存手段を備え、
前記受信した一般情報により、前記保存した一般情報を書き換えることを特徴とする画像形成装置。
【請求項７】
前記一般情報には、複数の項目が含まれるとともに、おのおのの項目には項目識別情報が付与され、
前記一般情報受信要求手段は、前記受信要求する一般情報の項目に対応した項目識別情報を前記他の端末装置へ通知して、当該他の端末装置より、通知した項目識別情報に対応した前記一般情報の項目を受信し、前記情報保存手段に保存された一般情報のうち、当該受信した項目の一般情報を書き換えるようにしたことを特徴とする請求項６記載の画像形成装置。
【請求項８】
所定の一般情報を記憶した不揮発性記憶手段を備えた着脱自在な記録材カートリッジを装着する画像形成装置であって、
前記一般情報には識別情報が付与されるとともに、
前記不揮発性記憶手段に記憶された前記一般情報を読み出すための情報読取手段と、
前記情報読取手段が読み取って前記一般情報を保存する情報保存手段と、
他の端末装置より、前記一般情報を受信する通信手段を備え、
他の端末装置から前記識別情報が指定された状態で受信要求を受け付けると、前記情報保存手段から当該識別情報に対応した前記一般情報を読み出して当該他の端末装置へ送信することを特徴とする画像形成装置。
【請求項９】
所定の一般情報と、前記一般情報を識別するための識別情報を記憶した不揮発性記憶手段を備えた着脱可能な記録材カートリッジを装着する複数の画像形成装置と、前記一般情報と識別情報を管理する管理装置との間に適用される情報共有方法であって、
前記複数の画像形成装置は、前記記録材カートリッジから前記一般情報および識別情報を読み出して保存管理する一方、
前記管理装置は、前記複数の画像形成装置に対して、識別情報を指定した状態で一般情報の受信要求を行い、
前記複数の画像形成装置は、前記管理装置から一般情報の受信要求を受信すると、そのときに指定された識別情報に対応して保存管理している前記一般情報を読み出して、それぞれ前記管理装置へ送信し、
前記管理装置は、前記複数の画像形成装置より受信した複数の一般情報のうち、最も新しいものを選択し、その選択した一般情報を、当該一般情報を受信した以外の前記複数の画像形成装置へ送信することを特徴とする情報共有方法。
【手続補正２】
【補正対象書類名】明細書
【補正対象項目名】発明の名称
【補正方法】変更
【補正の内容】
【発明の名称】画像形成装置および情報共有方法
【手続補正３】
【補正対象書類名】明細書
【補正対象項目名】０００１
【補正方法】変更
【補正の内容】
【０００１】
所定の一般情報を記憶した不揮発性記憶手段を備えた着脱可能な記録材カートリッジを装着する画像形成装置、および、所定の一般情報と、前記一般情報を識別するための識別情報を記憶した不揮発性記憶手段を備えた着脱可能な記録材カートリッジを装着する複数の画像形成装置と、前記一般情報と識別情報を管理する管理装置との間に適用される情報共有方法に関する。
【手続補正４】
【補正対象書類名】明細書
【補正対象項目名】０００６
【補正方法】変更
【補正の内容】
【０００６】
本発明は、カートリッジ状に加工されている記録材供給用容器に搭載された不揮発性メモリの情報を利用してユーザにより高い利便性を与えることのできる画像形成装置および情報共有方法を提供することを目的とする。
【手続補正５】
【補正対象書類名】明細書
【補正対象項目名】０００７
【補正方法】変更
【補正の内容】
【０００７】
本発明は、所定の一般情報を記憶した不揮発性記憶手段を備えた着脱可能な記録材カートリッジを装着する画像形成装置であって、前記不揮発性記憶手段に記憶された前記一般情報を読み出すための情報読取手段と、前記情報読取手段が読み取った前記一般情報を保存する情報保存手段と、前記情報読取手段が読み取って得た前記一般情報を、他の端末装置へ送信する通信手段を備え、前記情報保存手段は、前記情報読取手段が読み取った一般情報が保存されている一般情報よりも新しい場合、前記保存されている一般情報を前記読み取った一般情報により書き換え、前記他の端末装置へ前記読み取って得た一般情報を送信するようにしたものである。
【手続補正６】
【補正対象書類名】明細書
【補正対象項目名】０００８
【補正方法】変更
【補正の内容】
【０００８】
また、所定の一般情報と、該一般情報に付与された識別情報を記憶した不揮発性記憶手段を備えた着脱可能な記録材カートリッジを装着する画像形成装置であって、前記不揮発性記憶手段に記憶された前記一般情報と前記識別情報を読み出すための情報読取手段と、前記情報読取手段が読み取った前記一般情報と前記識別情報を、他の端末装置へ送信する通信手段を備え、前記情報保存手段の一般情報が書き換えられると、当該一般情報に付与された前記識別情報を他の端末装置へ送信し、前記他の端末装置より、前記一般情報の受信要求を受け付けると、受信要求された前記一般情報を当該他の端末装置へ送信するようにしたものである。
【手続補正７】
【補正対象書類名】明細書
【補正対象項目名】０００９
【補正方法】変更
【補正の内容】
【０００９】
また、前記一般情報には、複数の項目が含まれるとともに、おのおのの項目には、項目識別情報が付与され、前記受信要求は、前記項目識別情報を含み、前記他の端末装置より受け付けた受信要求に含まれる前記項目識別情報の項目に対応した前記一般情報の内容を当該他の端末装置へ送信するようにしたものである。
【手続補正８】
【補正対象書類名】明細書
【補正対象項目名】００１０
【補正方法】変更
【補正の内容】
【００１０】
また、前記通信手段は、前記一般情報の送信動作に先立って、通信可能な他の端末装置の検出を行い、その検出動作により応答を得た他の端末装置についてのみ動作を行うようにしたものである。
【手続補正９】
【補正対象書類名】明細書
【補正対象項目名】００１１
【補正方法】変更
【補正の内容】
【００１１】
また、所定の一般情報を記憶した不揮発性記憶手段を備えた着脱可能な記録材カートリッジを装着する画像形成装置であって、前記不揮発性記憶手段に記憶された前記一般情報を読み出すための情報読取手段と、他の端末装置より、前記一般情報を受信する通信手段と、前記情報読取手段が読み取った、もしくは、前記通信手段が受信した前記一般情報を保存する情報保存手段を備え、前記通信手段が受信した一般情報が、前記情報保存手段に保存されている一般情報よりも新しい場合には、該受信した一般情報により、前記情報保存手段に保存されている一般情報を書き換えるようにしたものである。
【手続補正１０】
【補正対象書類名】明細書
【補正対象項目名】００１２
【補正方法】変更
【補正の内容】
【００１２】
また、所定の一般情報と、該一般情報に付与された識別情報を記憶した不揮発性記憶手段を備えた着脱可能な記録材カートリッジを装着する画像形成装置であって、前記不揮発性記憶手段に記憶された前記一般情報と前記識別情報を読み出すための情報読取手段と、他の端末装置より、前記識別情報を受信する識別情報受信手段と、前記受信した識別情報に基づいて、前記他の端末装置へ前記一般情報の受信要求を行う一般情報受信要求手段と、前記一般情報を受信する一般情報受信手段と、前記情報読取手段が読み取った、もしくは、前記通信手段が受信した前記一般情報を保存する情報保存手段を備え、前記受信した一般情報により、前記保存した一般情報を書き換えるようにしたものである。
【手続補正１１】
【補正対象書類名】明細書
【補正対象項目名】００１３
【補正方法】変更
【補正の内容】
【００１３】
また、前記一般情報には、複数の項目が含まれるとともに、おのおのの項目には項目識別情報が付与され、前記一般情報受信要求手段は、前記受信要求する一般情報の項目に対応した項目識別情報を前記他の端末装置へ通知して、当該他の端末装置より、通知した項目識別情報に対応した前記一般情報の項目を受信し、前記情報保存手段に保存された一般情報のうち、当該受信した項目の一般情報を書き換えるようにしたものである。
【手続補正１２】
【補正対象書類名】明細書
【補正対象項目名】００１４
【補正方法】変更
【補正の内容】
【００１４】
また、所定の一般情報を記憶した不揮発性記憶手段を備えた着脱自在な記録材カートリッジを装着する画像形成装置であって、前記一般情報には識別情報が付与されるとともに、前記不揮発性記憶手段に記憶された前記一般情報を読み出すための情報読取手段と、前記情報読取手段が読み取って前記一般情報を保存する情報保存手段と、他の端末装置より、前記一般情報を受信する通信手段を備え、他の端末装置から前記識別情報が指定された状態で受信要求を受け付けると、前記情報保存手段から当該識別情報に対応した前記一般情報を読み出して当該他の端末装置へ送信するようにしたものである。
【手続補正１３】
【補正対象書類名】明細書
【補正対象項目名】００１５
【補正方法】変更
【補正の内容】
【００１５】
また、所定の一般情報と、前記一般情報を識別するための識別情報を記憶した不揮発性記憶手段を備えた着脱可能な記録材カートリッジを装着する複数の画像形成装置と、前記一般情報と識別情報を管理する管理装置との間に適用される情報共有方法であって、前記複数の画像形成装置は、前記記録材カートリッジから前記一般情報および識別情報を読み出して保存管理する一方、前記管理装置は、前記複数の画像形成装置に対して、識別情報を指定した状態で一般情報の受信要求を行い、前記複数の画像形成装置は、前記管理装置から一般情報の受信要求を受信すると、そのときに指定された識別情報に対応して保存管理している前記一般情報を読み出して、それぞれ前記管理装置へ送信し、前記管理装置は、前記複数の画像形成装置より受信した複数の一般情報のうち、最も新しいものを選択し、その選択した一般情報を、当該一般情報を受信した以外の前記複数の画像形成装置へ送信するようにしたものである。
【手続補正１４】
【補正対象書類名】明細書
【補正対象項目名】００１６
【補正方法】削除
【補正の内容】